(57)【特許請求の範囲】
【請求項１】
室内機を有するサーバ室に設置されたサーバラックに収納されたＩＣＴ装置の整流板のパラメータを決定する方法であって、
前記サーバ室の寸法情報と、前記サーバラックの寸法情報と、前記ＩＣＴ装置の設置された位置情報と、前記ＩＣＴ装置の寸法情報と、前記サーバ室の床から前記ＩＣＴ装置までの高さ情報と、前記ＩＣＴ装置の吸気側の整流板の突出しの長さ情報とを含む第１のパラメータに基づいて、前記サーバ室をモデル化して、前記ＩＣＴ装置を冷却するため前記室内機から吹出される冷気の温度情報と、前記室内機から吹出される前記冷気の風量情報と、前記ＩＣＴ装置の負荷から生じる熱量情報と、前記ＩＣＴ装置のファンの回転数の情報とを含む第２のパラメータに基づいて、前記ＩＣＴ装置内に給気される前記冷気の流れのシミュレーションを行うステップと、
前記サーバ室の床から前記ＩＣＴ装置までの高さを変化させながら、前記ＩＣＴ装置の吸気側の整流板の突出しの長さと、前記ＩＣＴ装置が吸込む冷気の風量との計算式をそれぞれ算出するステップと、
前記それぞれ算出された計算式を用いて、前記サーバ室の床から前記ＩＣＴ装置までの高さが高いほど前記ＩＣＴ装置の吸気側の整流板の突出しの長さが長くなる第１の条件式と、前記ＩＣＴ装置が吸込む冷気の各風量がそれぞれ等しくなる第３の条件式と、前記ＩＣＴ装置が吸込む冷気の各風量が最大となる第４の条件式とを満足するように、前記ＩＣＴ装置の吸気側の整流板の突出しの長さをそれぞれ算出し決定するステップと
を備え、
前記整流板は、対向する２つの直角三角形と、該対向する２つの直角三角形のそれぞれの斜辺を含む平面で形成され、
前記ＩＣＴ装置の吸気側の整流板の突出しの長さは、サーバ室の床に略平行である前記直角三角形の一辺の長さであることを特徴とする整流板のパラメータを決定する方法。
【請求項２】
室内機を有するサーバ室に設置されたサーバラックに収納されたＩＣＴ装置の整流板のパラメータを決定する方法であって、
前記サーバ室の寸法情報と、前記サーバラックの寸法情報と、前記ＩＣＴ装置の設置された位置情報と、前記ＩＣＴ装置の寸法情報と、前記サーバ室の床から前記ＩＣＴ装置までの高さ情報と、前記ＩＣＴ装置の排気側の整流板の突出しの長さ情報とを含む第１のパラメータに基づいて、前記サーバ室をモデル化して、前記ＩＣＴ装置を冷却するため前記室内機から吹出される冷気の温度情報と、前記室内機から吹出される前記冷気の風量情報と、前記ＩＣＴ装置の負荷から生じる熱量情報と、前記ＩＣＴ装置のファンの回転数の情報とを含む第２のパラメータに基づいて、前記ＩＣＴ装置内に給気される前記冷気の流れのシミュレーションを行うステップと、
前記サーバ室の床から前記ＩＣＴ装置までの高さを変化させながら、前記ＩＣＴ装置の排気側の整流板の突出しの長さと、前記ＩＣＴ装置が吸込む冷気の風量との計算式をそれぞれ算出するステップと、
前記それぞれ算出された計算式を用いて、前記サーバ室の床から前記ＩＣＴ装置までの高さが高いほど前記ＩＣＴ装置の排気側の整流板の突出しの長さが短くなる第２の条件式と、前記ＩＣＴ装置が吸込む冷気の各風量がそれぞれ等しくなる第３の条件式と、前記ＩＣＴ装置が吸込む冷気の各風量が最大となる第４の条件式とを満足するように、前記ＩＣＴ装置の排気側の整流板の突出しの長さをそれぞれ算出し決定するステップと
を備え、
前記整流板は、対向する２つの直角三角形と、該対向する２つの直角三角形のそれぞれの斜辺を含む平面で形成され、
前記ＩＣＴ装置の排気側の整流板の突出しの長さは、サーバ室の床に略平行である前記直角三角形の一辺の長さであることを特徴とする整流板のパラメータを決定する方法。
【請求項３】
室内機を有するサーバ室に設置されたサーバラックに収納されたＩＣＴ装置の整流板のパラメータを決定する方法であって、
前記サーバ室の寸法情報と、前記サーバラックの寸法情報と、前記ＩＣＴ装置の設置された位置情報と、前記ＩＣＴ装置の寸法情報と、前記サーバ室の床から前記ＩＣＴ装置までの高さ情報と、前記ＩＣＴ装置の吸気側の第１の整流板の突出しの長さ情報と、前記ＩＣＴ装置の排気側の整流板の突出しの長さ情報とを含む第１のパラメータに基づいて、前記サーバ室をモデル化して、前記ＩＣＴ装置を冷却するため前記室内機から吹出される冷気の温度情報と、前記室内機から吹出される前記冷気の風量情報と、前記ＩＣＴ装置の負荷から生じる熱量情報と、前記ＩＣＴ装置のファンの回転数の情報とを含む第２のパラメータに基づいて、前記ＩＣＴ装置内に給気される前記冷気の流れのシミュレーションを行うステップと、
前記サーバ室の床から前記ＩＣＴ装置までの高さを変化させながら、前記ＩＣＴ装置の吸気側の整流板の突出しの長さと、前記ＩＣＴ装置の排気側の整流板の突出しの長さと、前記ＩＣＴ装置が吸込む冷気の風量との計算式をそれぞれ算出するステップと、
前記それぞれ算出された計算式を用いて、前記サーバ室の床から前記ＩＣＴ装置までの高さが高いほど前記ＩＣＴ装置の吸気側の整流板の突出しの長さが長くなる第１の条件式と、前記サーバ室の床から前記ＩＣＴ装置までの高さが高いほど前記ＩＣＴ装置の排気側の整流板の突出しの長さが短くなる第２の条件式と、前記ＩＣＴ装置が吸込む冷気の各風量がそれぞれ等しくなる第３の条件式と、前記ＩＣＴ装置が吸込む冷気の各風量が最大となる第４の条件式とを満足するように、前記ＩＣＴ装置の吸気側の整流板の突出しの長さおよび前記ＩＣＴ装置の排気側の整流板の突出しの長さ情報をそれぞれ算出し決定するステップと
を備え、
前記吸気側の整流板および前記排気側の整流板の各々は、対向する２つの直角三角形と、該対向する２つの直角三角形のそれぞれの斜辺を含む平面で形成され、
前記ＩＣＴ装置の吸気側の整流板の突出しの長さおよび前記ＩＣＴ装置の排気側の整流板の突出しの長さの各々は、サーバ室の床に略平行である前記直角三角形の一辺の長さであることを特徴とする整流板のパラメータを決定する方法。
【発明の詳細な説明】
【技術分野】
【０００１】
本発明は、整流板のパラメータを決定する方法に関し、より詳細には、ＩＣＴ装置の負荷から生じる熱を効率的に取り除くための整流板のパラメータを決定する方法に関する。
【背景技術】
【０００２】
近年、企業のＩＣＴ（Information and Communication Technology：情報通信技術）利用の急速な増加に伴って、膨大な数のＩＣＴ装置が使用されている。本明細書では、ＩＣＴ装置は、サーバ、ルータなどをいう。ＩＣＴ装置のＣＰＵ、電源ユニットなどの電子基板を冷却するため、空調の冷房運転における電力消費量の増加の問題が深刻化しつつあり、空調による冷却効率の改善が求められている。
【０００３】
ＩＣＴ装置は、米国ＥＩＡ規格に準ずる１９インチサーバラックに格納され、サーバ室に収容されるのが一般的である。また、隣り合うサーバラックの空間的な間隔は一定であり、一つのサーバラックの筐体に複数台のＩＣＴ装置が設置されている。
【０００４】
空調機の室内機からの冷気は、ＩＣＴ装置の吸気口の正面から入り、ＩＣＴ装置に内蔵されたファンによってＩＣＴ装置の内部へ送り込まれる。そして、ＩＣＴ装置のＣＰＵなどの負荷の発熱により冷気が暖められて、熱気がＩＣＴ装置の排気口から排気される。そこで、ＩＣＴ装置周辺を取り巻いている冷気を効率よく吸気してＩＣＴ装置の負荷を冷却することが要求される。
【０００５】
従来から、サーバ室の空調機の室内機が、床下で冷気を吹出し、冷気が床下から天井に向かって吹出す空調方法が存在する。サーバラックは前面から冷気を吸込み、上面又は背面から排気するタイプが多く、各サーバラックは前面・上面・背面を同じ方向に向けて横一列に配置される。サーバ室内には吸気面・排気面を同じ方向に向けて配置されたサーバラック列が、隣接する列の吸気面と吸気面、排気面と排気面とを対向させて、複数列配置される。吸気面に挟まれた通路は二重床から冷気が供給されていることから、コールドアイルと呼ばれる。一方、排気面に挟まれた通路はサーバラックからの排気で温度が上がるため、ホットアイルと呼ばれる。コールドアイルとホットアイルとの間を遮蔽して冷暖気の混合を抑制することで、効率よくＩＣＴ装置に冷気を供給することが可能になる。
【先行技術文献】
【非特許文献】
【０００６】
【非特許文献１】Hendrik Hamann、 Madhusudan Iyengar、 and Martin O’Boyle、 “THE IMPACT OF AIR FLOW LEAKAGE ON SERVER INLET AIR TEMPERATURE IN A RAISED FLOOR DATA CENTER”、 11th Intersociety Conf。 Thermal and Thermomechanical Phenomena in Electronic Systems、 2008
【発明の概要】
【発明が解決しようとする課題】
【０００７】
図１に従来の二重床から冷気が供給されるサーバ室における、空調機の室内機からの冷気の流れを示す。サーバ室１は、室内空間２と、二重床空間３と、の２つの空間で分かれている。室内空間２と、二重床空間３とは、床パネル４で区切られており、床パネル４には、床面の吹出し口５が設けられている。
【０００８】
室内空間２は、ＩＣＴ装置を収納するサーバラックで構成されたサーバラック列８ａおよびサーバラック列８ｂと、サーバラックに収納されたＩＣＴ装置の負荷を冷却するための冷気を生成して吹出す室内機７とを備える。
【０００９】
サーバラック列８ａおよびサーバラック列８ｂは、ＩＣＴ装置の吸気面同士が向かい合うように、コールドアイル６を挟んで向かい合っている。サーバラック列８ａは、ＩＣＴ装置１０ａｉ（ｉ＝１〜ｎ：ｉは正の整数）を備え、サーバラック列８ｂは、ＩＣＴ装置１０ｂｉ（ｉ＝１〜ｎ：ｉは正の整数）を備える。
【００１０】
ＩＣＴ装置１０ａｉは、電子基板などの熱を発生する負荷１１ａｉ（ｉ＝１〜ｎ：ｉは正の整数）と、コールドアイル６の冷気を取り込むためのファン１２ａｉ（ｉ＝１〜ｎ：ｉは正の整数）と、負荷１１ａｉやファン１２ａｉを収納する筐体とを備える。また、ＩＣＴ装置１０ｂｉは、電子基板などの熱を発生する負荷１１ｂｉ（ｉ＝１〜ｎ：ｉは正の整数）と、コールドアイル６の冷気を取り込むためのファン１２ｂｉ（ｉ＝１〜ｎ：ｉは正の整数）と、負荷１１ｂｉやファン１２ｂｉを収納する筐体とを備える。
【００１１】
室内機７は、収集されたＩＣＴ装置１０ａｉおよびＩＣＴ装置１０ｂｉから排出される排気を冷却する蒸発器７ａと、冷却した風を二重床空間３へ送り出す送風機７ｂとを備える。
【００１２】
冷房運転によって室内機７から吹出された冷気は、図１の矢印が示すように、二重床空間３を通って床面の吹出し口５を通り抜けて天井に向かって上昇し、コールドアイル６を形成する。コールドアイル６を形成する冷気の一部は、ＩＣＴ装置に内蔵されたファン１２ａｉおよびファン１２ｂｉによって、ＩＣＴ装置１０ａｉおよびＩＣＴ装置１０ｂｉのそれぞれの吸気面から吸い込まれる。吸い込まれた冷気は、ＩＣＴ装置内の負荷１１ａｉおよび負荷１１ｂｉを通過し、負荷１１ａｉおよび負荷１１ｂｉから生じた熱を奪って、ＩＣＴ装置１０ａｉおよびＩＣＴ装置１０ｂｉのそれぞれの排気面から排出される。そして、排出された暖気により、ホットアイル９ａおよびホットアイル９ｂが形成される。排出された暖気は、上昇し、天井を経由して室内機７の中へ吸い込まれ、再び冷気として吹出される。こうして、空調機の室内機から吹出された冷気の気流循環が実現される。
【００１３】
例えばＩＣＴ装置１０ａｉの筐体付近では、ＩＣＴ装置１０ａｉに内蔵されたファン１２ａｉによって、ＩＣＴ装置１０ａｉの外部と内部とで気圧差が生じる。そのため、ＩＣＴ装置１０ａｉの外部にあるコールドアイル６の冷気は、ファン１２ａｉによって、ＩＣＴ装置１０ａｉ内に吸引され、ＩＣＴ装置１０ａｉ内の負荷１１ａｉから生じた熱を奪って暖気となり、暖気は、強制的に外部のホットアイル９ａへ排気される。
【００１４】
一方、ＩＣＴ装置１０ａｉ内部には電子基板などが設置されているため空気抵抗が生じやすく、ＩＣＴ装置１０ａｉに内蔵されたファン１２ａｉの通常の出力では、冷気がＩＣＴ装置１０ａｉ内部に充分に吸込まれない場合がある。
【００１５】
冷気がＩＣＴ装置１０ａｉ内部に充分に吸込まれないと、負荷１１ａｉから発生した熱によりＩＣＴ装置１０ａｉの内部の温度が上がり、ＩＣＴ装置１０ａｉ内の温度センサによって検出された温度が上限温度を超えて、ＩＣＴ装置１０ａｉが安全に稼動できない場合がある。
【００１６】
そこで、ＩＣＴ装置１０ａｉの負荷１１ａｉから生じる熱に対応するため、ＩＣＴ装置１０ａｉに内蔵されたファン１２ａｉの出力を高め、ファン１２ａｉの回転数を予め上げておく必要がある。ファン１２ａｉの回転数を予め上げた場合、ファン１２ａｉの消費電力は増加し、ＩＣＴ装置１０ａｉの消費電力も増加することになる。
【００１７】
また、冷気がＩＣＴ装置１０ａｉ内部に充分に吸込まれない場合は、ＩＣＴ装置１０ａｉの負荷の熱が充分に除去されずに、大半の冷気が天井を経由して空調機の室内機に戻ってしまい、空調機の室内機から吹出された冷気の大半が無駄となる。
【００１８】
したがって、ＩＣＴ装置の筐体を取り巻いている冷気をＩＣＴ装置内に如何にうまく取り込んで、ＩＣＴ装置内の負荷を効率的に冷却するかが課題である。
【００１９】
そこで、例えば特許文献１では、サーバ室の床下から冷気が吹出される網目状の床パネルの配置を工夫することで、サーバラックに収納されたＩＣＴ装置を効率的に冷却し、空調機を省電力化する方法が提案されている。
【００２０】
しかしながら、非特許文献１に開示された技術では、冷気が吹出される網目状の床の配置を工夫しているが、ＩＣＴ装置の筐体に冷気の流れを誘導するために、整流板をＩＣＴ装置に取付けることを考慮されていなかった。
【００２１】
そこで、ＩＣＴ装置の排気口付近に整流板を装着し、気流の流れを整流化して、効率よく冷気を循環させ、空調機を省電力化する方法も試みられている。しかしながら、サーバ室は、様々な形状をしており、ＩＣＴ装置を収納したサーバラックの配列も様々である。よって空調の室内機から吹出した冷気の流れもサーバ室ごとに異なり、ＩＣＴ装置に冷気を効率よく供給するためには、ＩＣＴ装置ごとに位置を調整しながら整流板を取り付けなければならなかった。したがって、サーバ室ごとに経験則に基づいて試行錯誤しながら整流板を取り付けていては、時間が掛かり、コストが増大するといった問題があった。
【００２２】
本発明は、このような問題に鑑みてなされたもので、その目的とするところは、室内機から二重床空間へ供給される冷気を効率よくＩＣＴ装置に給気し、かつ、ＩＣＴ装置の省電力化を実現するための整流板のパラメータを決定する方法を提供することにある。
【課題を解決するための手段】
【００２３】
本発明は、このような目的を達成するために、請求項１に記載の発明は、室内機を有するサーバ室に設置されたサーバラックに収納されたＩＣＴ装置の整流板のパラメータを決定する方法であって、前記サーバ室の寸法情報と、前記サーバラックの寸法情報と、前記ＩＣＴ装置の設置された位置情報と、前記ＩＣＴ装置の寸法情報と、前記サーバ室の床から前記ＩＣＴ装置までの高さ情報と、前記ＩＣＴ装置の吸気側の整流板の突出しの長さ情報とを含む第１のパラメータに基づいて、前記サーバ室をモデル化して、前記ＩＣＴ装置を冷却するため前記室内機から吹出される冷気の温度情報と、前記室内機から吹出される前記冷気の風量情報と、前記ＩＣＴ装置の負荷から生じる熱量情報と、前記ＩＣＴ装置のファンの回転数の情報とを含む第２のパラメータに基づいて、前記ＩＣＴ装置内に給気される前記冷気の流れのシミュレーションを行うステップと、前記サーバ室の床から前記ＩＣＴ装置までの高さを変化させながら、前記ＩＣＴ装置の吸気側の整流板の突出しの長さと、前記ＩＣＴ装置が吸込む冷気の風量との計算式をそれぞれ算出するステップと、前記それぞれ算出された計算式を用いて、前記サーバ室の床から前記ＩＣＴ装置までの高さが高いほど前記ＩＣＴ装置の吸気側の整流板の突出しの長さが長くなる第１の条件式と、前記ＩＣＴ装置が吸込む冷気の各風量がそれぞれ等しくなる第３の条件式と、前記ＩＣＴ装置が吸込む冷気の各風量が最大となる第４の条件式とを満足するように、前記ＩＣＴ装置の吸気側の整流板の突出しの長さをそれぞれ算出し決定するステップとを備え、前記整流板は、対向する２つの直角三角形と、該対向する２つの直角三角形のそれぞれの斜辺を含む平面で形成され、前記ＩＣＴ装置の吸気側の整流板の突出しの長さは、サーバ室の床に略平行である前記直角三角形の一辺の長さであることを特徴とする。
【発明の効果】
【００２４】
以上説明したように、本発明によれば、サーバ室のサーバラックに設置されたＩＣＴ装置の配列に応じて、ＩＣＴ装置の整流板の形状を変化させ、ＩＣＴ装置内部に冷気を吸込む風量を増加させることが可能となる。さらに、本発明によれば、冷却効率を向上させ、ＩＣＴ装置及び空調機の双方の省電化を実現することが可能となる。
【図面の簡単な説明】
【００２５】
【図１】従来の二重床から冷気が供給されるサーバ室における、空調機の室内機からの冷気の流れを示す図である。
【図２】本発明の一実施形態にかかる、サーバ室の構造のモデル化の一例を示す図である。
【図３】本発明の一実施形態にかかる、二重床から冷気が供給されるモデル化されたサーバ室における、空調機の室内機からの冷気の流れを示す図である。
【図４】本発明の一実施形態にかかる、サーバ室のサーバラックに設置されたＩＣＴ装置における整流板の形状を示す図である。
【図５】本発明の一実施形態にかかる、サーバ室のサーバラックに設置されたＩＣＴ装置に内蔵されたファンの省電力化に関する評価実験の結果を示す図である。
【図６】本発明の別の実施形態にかかる、ＩＣＴ装置における整流板の形状を表し、およびＩＣＴ装置における整流板に取り付けられたファンを表す図である。
【図７】本発明の一実施形態にかかる、整流板のパラメータ決定システムを示す構成図である。
【図８】本発明の一実施形態にかかる、整流板のパラメータを決定する方法を示すフローチャートである。
【発明を実施するための形態】
【００２６】
（サーバ室内のモデル化）  
図２に本発明の一実施形態にかかる、サーバ室の構造のモデル化の一例を示す。図２（ａ）は、サーバ室をＡから見た平面図を表し、図２（ｂ）は、サーバ室を斜めから見た斜視図を表す。図２（ｃ）は、サーバ室をＣ方向から見た側面図を表し、図２（ｄ）は、サーバ室をＤ方向から見た側面図を表す。
【００２７】
サーバ室２０は、ＩＣＴ装置を複数収納したサーバラック列２１ａ〜２１ｆと、ＩＣＴ装置内の負荷を冷却するための冷気を吹出す室内機２２ａ〜２２ｄとを備える。サーバラック列２１ｆは、サーバラック列２１ｆ１〜サーバラック列２１ｆ７を含む。各ＩＣＴ装置には、室内機２２ａ〜２２ｄからの冷気を取り入れるためのファンが内蔵されている。
【００２８】
サーバ室２０内の熱の流れのシミュレーションにおける数値計算を実施するための前提として、サーバ室２０の構造のモデルをソフトウェアにより算出する。ソフトウェアにより、サーバ室２０の寸法、サーバラック列２１ａ〜２１ｆの寸法、室内機２２ａ〜２２ｄの寸法、ＩＣＴ装置の寸法、ＩＣＴ装置の負荷の位置を含む第１のパラメータに基づいて、サーバ室２０内の構造のモデル化が行われる。またＩＣＴ装置のファンの位置、床パネルからＩＣＴ装置までの高さ、ＩＣＴ装置の吸気側の整流板の突出しの長さ（詳細は後述する）、ＩＣＴ装置の排気側の整流板の突出しの長さ（詳細は後述する）を含む第１のパラメータに基づいて、サーバ室２０内の構造のモデル化が行われる。そして、サーバ室構造モデルが作成される。
【００２９】
（モデル化されたサーバ室内の熱の流れのシミュレーション）  
サーバ室２０内の熱の流れの数値計算には、熱流体力学方程式を使用する。サーバ室２０全体の熱の流れは、所定の熱流体力学方程式に、室内機から吹出される冷気の風量および温度、ＩＣＴ装置の負荷から生じる熱量、ＩＣＴ装置に内蔵されたファンの回転数を含む第２のパラメータを代入して得た値と、作成されたサーバ室構造モデルとに基づき、ソフトウェアでシミュレーションすることによって把握することができる。サーバ室２０内の熱の流れがシミュレーションされると、サーバ室２０内の熱の流れを表すデータが、ディスプレイなどの表示装置に表示される。第２のパラメータを所定の熱流体力学方程式に代入して得た値に基づいて、ソフトウェアによって、サーバ室２０のサーバラックに収納されたＩＣＴ装置付近の冷気の流れがシミュレーションされるが、気流の向き、風速、風力についても計算される。
【００３０】
（モデル化されたサーバ室における室内機からの冷気の流れ）  
図３に本発明の一実施形態にかかる、二重床から冷気が供給されるモデル化されたサーバ室における、空調機の室内機からの冷気の流れを示す。サーバ室３１は、室内空間３２と、二重床空間３３と、の２つの空間で分かれている。室内空間３２と、二重床空間３３とは、床パネル３４で区切られており、床パネル３４には、床面の吹出し口３５が設けられている。
【００３１】
室内空間３２は、ＩＣＴ装置を収納するサーバラックで構成されたサーバラック列３８ａおよびサーバラック列３８ｂと、サーバラックに収納されたＩＣＴ装置の負荷を冷却するための冷気を生成して吹出す室内機３７とを備える。
【００３２】
サーバラック列３８ａおよびサーバラック列３８ｂは、ＩＣＴ装置の吸気面同士が向かい合うように、コールドアイル３６を挟んで向かい合っている。サーバラック列３８ａは、ＩＣＴ装置４０ａｉ（ｉ＝１〜ｎ：ｉは正の整数）を備え、サーバラック列３８ｂは、ＩＣＴ装置４０ｂｉ（ｉ＝１〜ｎ：ｉは正の整数）を備える。
【００３３】
ＩＣＴ装置４０ａｉは、電子基板などの熱を発生する負荷４１ａｉ（ｉ＝１〜ｎ：ｉは正の整数）と、コールドアイル３６の冷気を取り込むためのファン４２ａｉ（ｉ＝１〜ｎ：ｉは正の整数）と、負荷４１ａｉやファン４２ａｉなどを収納する筐体とを備える。また、ＩＣＴ装置４０ｂｉは、電子基板などの熱を発生する負荷４１ｂｉ（ｉ＝１〜ｎ：ｉは正の整数）と、コールドアイル３６の冷気を取り込むためのファン４２ｂｉ（ｉ＝１〜ｎ：ｉは正の整数）と、負荷４１ｂｉやファン４２ｂｉなどを収納する筐体とを備える。
【００３４】
さらにＩＣＴ装置４０ａｉは、床面の吹出し口３５から吹出された冷気を内部へ誘導するための吸気側の整流板４３ａｉ（ｉ＝１〜ｎ：ｉは正の整数）と、負荷４１ａｉから生じた熱を除いて発生した暖気を外部へ誘導するための排気側の整流板４４ａｉ（ｉ＝１〜ｎ：ｉは正の整数）とを備える。また、ＩＣＴ装置４０ｂｉも同様に、床面の吹出し口３５から吹出された冷気を内部へ誘導するための吸気側の整流板４３ｂｉ（ｉ＝１〜ｎ：ｉは正の整数）と、負荷４１ｂｉから生じた熱を除いて発生した暖気を外部へ誘導するための排気側の整流板４４ｂｉ（ｉ＝１〜ｎ：ｉは正の整数）とを備える。吸気側の整流板及び排気側の整流板の形状についての詳細は、後述する。
【００３５】
室内機３７は、収集されたＩＣＴ装置４０ａｉおよびＩＣＴ装置４０ｂｉから排出される排気を冷却する蒸発器３７ａと、冷却した風を二重床空間３３へ送り出す送風機３７ｂとを備える。
【００３６】
以下、整流板のパラメータの決定する方法の具体的な説明に入るが、説明の便宜のため、サーバラック列３８ａに収納されたＩＣＴ装置４０ａｉを中心に説明する。サーバラック列３８ｂに収納されたＩＣＴ装置４０ｂｉについては、サーバラック列３８ａに収納されたＩＣＴ装置４０ａｉと同様の構成のため、説明を省略する。
【００３７】
室内機３７から吹出された冷気は、二重床空間３３を通って、床面の吹出し口３５から吹出される。床面の吹出し口３５から吹出される冷気は、ファン４２ａｉにより吸気側の整流板４３ａｉを経て、ＩＣＴ装置４０ａｉの内部に吸込まれ、負荷４１ａｉから生じた熱を取り除き、暖気となって排気側の整流板４４ａｉを経て吹出される。吹出された暖気は、上昇し、天井を経由して室内機３７の中へ吸い込まれる。
【００３８】
（吸気側および排気側の整流板の形状）  
図４に本発明の一実施形態にかかる、サーバ室のサーバラック列３８ａに設置されたＩＣＴ装置４０ａｉの整流板の形状を示す。ＩＣＴ装置４０ａｉは、負荷４１ａｉと、ファン４２ａｉと、負荷４１ａｉおよびファン４２ａｉを収納する筐体ａｂｋｊ−ｍｎｇｈとを備える。ＩＣＴ装置４０ａｉに内蔵されたファン４２ａｉの回転数は、Ｒｉ（ｉ＝１〜ｎ：ｉは正の整数）とする。
【００３９】
筐体ａｂｋｊ−ｍｎｇｈは、形状ａｂｃｄ−ｅｆｇｈ、形状ａｄｊ−ｂｃｋ、および形状ｍｅｈ−ｎｆｇの３つの形状から構成される。
【００４０】
形状ａｂｃｄ−ｅｆｇｈにおいて、面ａｂｃｄは、冷気を吸込むことが可能な穴が開いている長方形の形状をした面（例えば、網目状の面）である。ここで、面ａｂｃｄの面積をＳｉとする。また、本明細書では、面ａｂｃｄを通過する冷気の風量を、ＩＣＴ装置４０ａｉの吸込み風量（ＩＣＴ装置４０ａｉが吸込む冷気の風量）といい、Ｑｉ（ｉ＝１〜ｎ：ｉは正の整数）で表す。面ｅｆｇｈは、排気を排出することが可能な穴が開いている長方形の形状をした面（例えば、網目状の面）である。
【００４１】
形状ａｄｊ−ｂｃｋにおいて、面ａｄｊおよび面ｂｃｋは、風を通す穴が開いていない直角三角形の形状をした面であり、互いに対向しており、互いに合同である。面ａｂｋｊは、直角三角形ａｄｊの斜辺ａｊおよび直角三角形ｂｃｋの斜辺ｂｋを含む平面であり、風を通す穴が開いていない長方形の形状をした面である。また、面ａｂｃｄおよび面ｃｄｊｋは、冷気を吸込むことが可能な穴が開いている長方形の形状をした面である。
【００４２】
形状ｍｅｈ−ｎｆｇにおいて、面ｍｅｈおよび面ｎｆｇは、風を通す穴が開いていない直角三角形の形状をした面であり、互いに対向しており、互いに合同である。面ｍｎｇｈは、直角三角形ｍｅｈの斜辺ｍｈおよび直角三角形ｎｆｇの斜辺ｎｇを含む平面であり、風を通す穴が開いていない長方形の形状をした面である。また、面ｍｎｆｅおよび面ｅｆｇｈは、排気を排出することが可能な穴が開いている長方形の形状をした面である。
【００４３】
本明細書では、長さｄｊを、ＩＣＴ装置４０ａｉの吸気側の整流板４３ａｉの突出しの長さといい、Ｌｉｎ＿ｉ（ｉ＝１〜ｎ：ｉは正の整数）で表す。また、本明細書では、長さｍｅを、ＩＣＴ装置４０ａｉの排気側の整流板４４ａｉの突出しの長さといい、Ｌｏｕｔ＿ｉ（ｉ＝１〜ｎ：ｉは正の整数）で表す。長さｄｊは、サーバ室３１の床パネル３４に略平行であり、直角三角形ａｄｊの斜辺でない一辺である。また、長さｍｅは、サーバ室３１の床パネル３４に略平行であり、直角三角形ｍｅｈの斜辺でない一辺である。ＩＣＴ装置４０ａｉの吸気側の整流板４３ａｉの突出しの長さＬｉｎ＿ｉやＩＣＴ装置４０ａｉの排気側の整流板４４ａｉの突出しの長さＬｏｕｔ＿ｉを調整することによって、気流が吸込まれる面積または排出される面積を調整することができ、また、気流が吸込まれる風量または排出される風量も調整することが可能となる。さらに突出しの長さＬｉｎ＿ｉや突出しの長さＬｏｕｔ＿ｉは同時に調整することも可能である。
【００４４】
サーバ室３１の二重床の床面の吹出し口３５から吹出された冷気は、ファン４２ａｉによって、吸気側の整流板４３ａｉに誘導され（Ｅ）、ＩＣＴ装置４０ａｉ内に吸込まれる。ＩＣＴ装置４０ａｉ内に吸込まれた冷気は、負荷４１ａｉから生じた熱を取り除き、暖気となって、排気側の整流板４４ａｉに誘導され（Ｆ）、外部へ排出される。吸気側の整流板４３ａｉによって誘導される際（Ｅ）、気流が整流板４３ａｉの面ａｂｋｊにあたり、反射してＩＣＴ装置４０ａｉ内に吸込まれる。また、排気側の整流板４４ａｉによって誘導される際（Ｆ）、気流が整流板４４ａｉの面ｍｎｇｈにあたり、反射して外部へ排出される。
【００４５】
なお、図４に示すように、吸気側の整流板４３ａｉおよび排気側の整流板４４ａｉは、対向する直角三角形状の板をそれぞれ有しているが、整流板は、直角三角形状の板を片方だけ有してもよいし、直角三角形状の両方の板を有さないとしてもよい。
【００４６】
また、本実施形態では、ＩＣＴ装置の筐体と整流板とが一体となっているが、矩形などの形状のＩＣＴ装置の筐体に、整流板を後から取付けてもよい。
【００４７】
図３に示される空調機の室内機３７からの冷気の流れの説明に戻る。
【００４８】
ＩＣＴ装置４０ａｉの吸込み風量Ｑｉは、吸気側の整流板４３ａｉの突出しの長さＬｉｎ＿ｉと、排気側の整流板４４ａｉの突出しの長さＬｏｕｔ＿ｉと、床パネル３４からＩＣＴ装置４０ａｉまでの高さＨｉ（ｉ＝１〜ｎ：ｉは正の整数）とによって変化する。高さＨｉとは、床パネル３４の上面からＩＣＴ装置４０ａｉの天井面までの距離をいう。
【００４９】
一般的に、ＩＣＴ装置４０ａｉの吸込み風量Ｑｉは、床パネル３４からＩＣＴ装置４０ａｉまでの高さＨｉが高いと、少なくなる。よって、床からＩＣＴ装置４０ａｉまでの高さＨｉを考慮しながら、吸気側の整流板４３ａｉの突出しの長さＬｉｎ＿ｉ及び排気側の整流板４４ａｉの突出しの長さＬｏｕｔ＿ｉを調整することにより、ＩＣＴ装置４０ａｉの吸込み風量Ｑｉを調節することが可能である。
【００５０】
本発明の一実施形態では、図３に示すように、サーバ室３１の床パネル３４からＩＣＴ装置４０ａｉまでのそれぞれの高さＨｉについて、次の（式１）で表される。
Ｈ１＜Ｈ２＜Ｈ３＜…＜Ｈｎ        （式１）
【００５１】
また、本発明の一実施形態では、図３に示すように、ＩＣＴ装置４０ａｉの吸気側の整流板４３ａｉの突出しのそれぞれの長さＬｉｎ＿１について、次の（式２）で表される。
Ｌｉｎ＿１＜Ｌｉｎ＿２＜Ｌｉｎ＿３…＜Ｌｉｎ＿ｎ        （式２）
【００５２】
さらに、本発明の一実施形態では、図３に示すように、ＩＣＴ装置４０ａｉの排気側の整流板４４ａｉの突出しのそれぞれの長さＬｏｕｔ＿１について、次の（式３）で表される。
Ｌｏｕｔ＿１＞Ｌｏｕｔ＿２＞Ｌｏｕｔ＿３＞…＞Ｌｏｕｔ＿ｎ        （式３）
【００５３】
本発明の一実施形態では、（式１）および（式２）より、サーバ室３１の床パネルから、ＩＣＴ装置４０ａｉまでの距離が遠ければ遠いほど、ＩＣＴ装置４０ａｉの吸気側の整流板４３ａｉの突出しの長さが長くなっているのがわかる。また、本発明の一実施形態では、（式１）および（式３）より、サーバ室３１の床パネルから、ＩＣＴ装置４０ａｉまでの距離が遠ければ遠いほど、ＩＣＴ装置４０ａｉの排気側の整流板４４ａｉの突出しの長さが短くなっているのがわかる。
【００５４】
（整流板のパラメータを決定する計算式）  
サーバ室３１の寸法、サーバラック列３８ａの寸法、室内機３７の寸法、ＩＣＴ装置４０ａｉの寸法、ＩＣＴ装置４０ａｉの負荷４１ａｉの位置、ＩＣＴ装置４０ａｉのファン４２ａｉの位置、床パネル３４からＩＣＴ装置４０ａｉまでの高さＨｉ、ＩＣＴ装置４０ａｉの吸気側の整流板４３ａｉの突出しの長さＬｉｎ＿ｉ、およびＩＣＴ装置の排気側の整流板４４ａｉの突出しの長さＬｏｕｔ＿ｉを含む第１のパラメータを入力すると、サーバ室３１がモデル化される。
【００５５】
サーバ室構造モデルを用いて、所定の熱力学方程式に室内機３７から吹出される冷気の風量Ｑｃｏｌｄおよび冷気の温度、ＩＣＴ装置４０ａｉの負荷４１ａｉから生じる熱量、ＩＣＴ装置４０ａｉに内蔵されたファン４２ａｉの回転数Ｒｉを含む第２のパラメータを入力すると、冷気の流れのシミュレーションが実行され、各ＩＣＴ装置４０ａｉの吸込み風量Ｑｉがそれぞれ求まる。
【００５６】
床パネル３４からＩＣＴ装置４０ａｉまでの高さＨｉ、ＩＣＴ装置４０ａｉの吸気側の整流板４３ａｉの突出しの長さＬｉｎ＿ｉ、ＩＣＴ装置の排気側の整流板４４ａｉの突出しの長さＬｏｕｔ＿ｉを変化させることにより、各ＩＣＴ装置の吸込み風量Ｑｉを変化させることができる。風量Ｑｉの値は、記憶部６５に格納される。算出部６３は、記憶部６５に格納された風量Ｑｉの値と、床パネル３４からＩＣＴ装置４０ａｉまでの高さＨｉの値と、ＩＣＴ装置４０ａｉの吸気側の整流板４３ａｉの突出しの長さＬｉｎ＿ｉの値と、ＩＣＴ装置の排気側の整流板４４ａｉの突出しの長さＬｏｕｔ＿ｉの値と、室内機３７から吹出される冷気の風量Ｑｃｏｌｄの値とに基づいて、風量Ｑｉを求めるための計算式を各ＩＣＴ装置４０ａｉごとに算出する。風量Ｑｉを求めるための計算式を、次の（式４）で表す。
Ｑｉ＝ｆｉ（Ｈｉ）・ｇｉｎ＿ｉ（Ｌｉｎ＿ｉ）・ｇｏｕｔ＿ｉ（Ｌｏｕｔ＿ｉ）・ｈｉ（Ｑｃｏｌｄ）          （式４）
ｆｉは、高さＨｉの関数を示し、ｇｉｎ＿ｉは、突出しの長さＬｉｎ＿ｉの関数を示し、ｇｏｕｔ＿ｉは、突出しの長さＬｏｕｔ＿ｉの関数を示し、ｈｉは、風量Ｑｃｏｌｄの関数を示す。
【００５７】
そして、算出部６３は、各ＩＣＴ装置４０ａｉの計算式（式４）を用いて、床パネル３４からＩＣＴ装置４０ａｉまでの高さＨｉが高いほどＩＣＴ装置４０ａｉの吸気側の整流板４３ａｉの突出しの長さＬｉｎ＿ｉを長くし、および／または、床パネル３４からＩＣＴ装置４０ａｉまでの高さＨｉが高いほどＩＣＴ装置の排気側の整流板４４ａｉの突出しの長さＬｏｕｔ＿ｉを短くし、さらに各ＩＣＴ装置の吸込み風量Ｑｉがそれぞれ等しく、かつ、最大となる、ＩＣＴ装置４０ａｉの吸気側の整流板４３ａｉの突出しの長さＬｉｎ＿ｉ、ＩＣＴ装置の排気側の整流板４４ａｉの突出しの長さＬｏｕｔ＿ｉをそれぞれ決定する。
【００５８】
ＩＣＴ装置４０ａｉの吸気側の整流板４３ａｉの突出しの長さＬｉｎ＿ｉ、ＩＣＴ装置の排気側の整流板４４ａｉの突出しの長さＬｏｕｔ＿ｉを決定する具体的な方法として、例えば、数理計画法を用いる。（式４）において、風量Ｑｉを最大とする条件を目的関数とし、風量Ｑｉがそれぞれ等しいとする条件を第１の制約条件とし、（式１）となる条件を第２の制約条件とし、（式２）となる条件を第３の制約条件とし、（式３）となる条件を第４の制約条件とする。
【００５９】
したがって、計算式（式４）によって高さＨｉに応じて、ＩＣＴ装置の吸込み風量Ｑｉがそれぞれ等しく、かつ最大となる、ＩＣＴ装置４０ａｉの吸気側の整流板４３ａｉの突出しの長さＬｉｎ＿ｉ、ＩＣＴ装置の排気側の整流板４４ａｉの突出しの長さＬｏｕｔ＿ｉを決定することにより、冷却効率の高い空調を実現できる。
【００６０】
本実施形態により、ＩＣＴ装置の吸込み風量Ｑｉは均一化され、無駄なくＩＣＴ装置に冷気を給気することが可能となるため、ＩＣＴ装置および空調機の省電力化が図れる。
【００６１】
また本実施形態により、ＩＣＴ装置の吸込み風量Ｑｉを均一化し、かつ最大となるように、各サーバラックおよび各ＩＣＴ装置にそれぞれ工夫を施すといった手間が省け、サーバ室の空調制御におけるコスト削減にもつながる。
【００６２】
図５に本発明の一実施形態にかかる、サーバ室のサーバラックに設置されたＩＣＴ装置ＩＣＴ装置に内蔵されたファンの省電力化に関する評価実験の結果を示す。 各種ＩＣＴ装置の整流板の形状に対して、ＩＣＴ装置の吸気口に所定の風量を吸込むために必要となるファンの回転数に対応するファンの消費電力がどのくらいになるのかを説明する。
【００６３】
図５において、一番左側の棒グラフ（Ｇ）は、従来の整流板のないＩＣＴ装置のファンの消費電力ＰＧを表す。また、一番左側の棒グラフ（Ｇ）の右隣の棒グラフ（Ｊ１）は、排気側に整流板を有するＩＣＴ装置のファンの消費電力ＰＪ１を表す。さらに、棒グラフ（Ｊ１）の右隣の棒グラフ（Ｊ２）は、吸気側に整流板を有するＩＣＴ装置のファンの消費電力ＰＪ２を表す。そして、棒グラフ（Ｊ２）の右隣の棒グラフ（Ｊ３）は、排気側および吸気側の双方に整流板を有するＩＣＴ装置のファンの消費電力ＰＪ３を表す。
【００６４】
図５により、ＰＧ＞ＰＪ１＞ＰＪ２＞ＰＪ３となる。したがって、排気側の整流板を備えたＩＣＴ装置のファンの消費電力ＰＪ１は、従来の整流板のないＩＣＴ装置のファンの消費電力ＰＧと比較して低くなる。また、吸気側の整流板を備えたＩＣＴ装置のファンの消費電力ＰＪ２は、排気側の整流板を備えたＩＣＴ装置のファンの消費電力ＰＪ１と比較して低くなる。そして、吸気側の整流板および排気側の整流板の双方を備えたＩＣＴ装置のファンの消費電力ＰＪ３は、吸気側の整流板を備えたＩＣＴ装置のファンの消費電力ＰＪ２と比較して低くなる。
【００６５】
図６に別の実施形態にかかる、ＩＣＴ装置の整流板の形状を表し、およびＩＣＴ装置における整流板に取り付けられたファンを表す。図６（ａ）に排気側の整流板および吸気側の整流板の形状が曲面状の場合を表し、図６（ｂ）にＩＣＴ装置における整流板に取り付けられたファンの位置を表す。
【００６６】
図６（ａ）に示すＩＣＴ装置の筐体は、図４に示すＩＣＴ装置４０ａｉの吸気側の整流板４３ａｉの代わりに曲面形状の整流板６１を備え、図４に示すＩＣＴ装置４０ａｉの排気側の整流板４４ａｉの代わりに曲面形状の整流板６２を備える。
【００６７】
サーバ室３１の二重床の床面の吹出し口３５から吹出された冷気は、ファン４２ａｉによって、吸気側の曲面形状の整流板６１に誘導され（Ｋ）、ＩＣＴ装置内に吸込まれる。ＩＣＴ装置内に吸込まれた冷気は、負荷４１ａｉから生じた熱を取り除き、暖気となって、排気側の曲面形状の整流板６２に誘導され（Ｎ）、外部へ排出される。
【００６８】
排気側の整流板および吸気側の整流板の形状が曲面状であっても、整流板のないＩＣＴ装置と比較して、ＩＣＴ装置に吸気される冷気の量を増加させ、ＩＣＴ装置から排気される暖気の量も増加させることが可能となる。
【００６９】
図６（ｂ）に示すＩＣＴ装置の筐体は、図４に示すＩＣＴ装置４０ａｉの排気側の整流板４４ａｉの代わりに、ファンが整流板の排気面付近に取付けられたファン付き整流板６３を備える。
【００７０】
サーバ室３１の二重床の床面の吹出し口３５から吹出された冷気は、ファン付き整流板６３のファンによって、吸気側の整流板４３ａｉに誘導され（Ｏ）、ＩＣＴ装置内に吸込まれる。ＩＣＴ装置内に吸込まれた冷気は、負荷４１ａｉから生じた熱を取り除き、暖気となって、ファン付き整流板６３に誘導され（Ｕ）、外部へ排出される。
【００７１】
ＩＣＴ装置の整流板の排気面付近にファンを設置することによって、整流板のないＩＣＴ装置と比較して、ＩＣＴ装置から排気される暖気の量を増加させ、気流循環の効率を高めることが可能となる。
【００７２】
また、本発明の一実施形態では、室内機が二重床の空間に冷気を吸気し、二重床の下から床面の吹出し口を介してＩＣＴ装置に冷気を供給している。一方、サーバ室の天井付近に室内機が設置され、サーバ室の上部に位置する室内機から冷気が吹き出し、サーバ室におけるサーバラックに収納されたＩＣＴ装置に冷気を供給し、排出される排気が下部に吸込まれるモデルも存在する。そこで、別の実施形態としては、サーバ室の天井からＩＣＴ装置までの距離に応じて、ＩＣＴ装置の整流板の突出しの長さを変更してもよい。
【００７３】
図７に本発明の一実施形態にかかる、整流板のパラメータ決定システムのブロック図を示す。本発明の一実施形態にかかる整流板のパラメータ決定システム７０は、サーバ室内をモデル化するための構造計算部７１を備える。また本発明の一実施形態にかかる整流板のパラメータ決定システム７０は、室内機３７から吹出される冷気の風量などを入力して、モデル化されたサーバ室内の冷気の流れをシミュレーションするシミュレーション部７２を備える。
【００７４】
さらに本発明の一実施形態にかかる整流板のパラメータ決定システム７０は、床面からＩＣＴ装置までの高さと、ＩＣＴ装置の吸気側の整流板の突出しの長さと、ＩＣＴ装置の排気側の整流板の突出しの長さと、各ＩＣＴ装置の吸込み風量と、室内機３７の吹出し口から吹出される冷気の風量との関係を表した後述する所定の計算式をそれぞれ算出する算出部７３を備える。
【００７５】
また本発明の一実施形態にかかる整流板のパラメータ決定システム７０は、所定の計算式に基づいて、各ＩＣＴ装置の吸込み風量がそれぞれ等しく、かつ最大となる、ＩＣＴ装置の吸気側の整流板の突出しの長さ、ＩＣＴ装置の排気側の整流板の突出しの長さをそれぞれ決定する決定部７４を備える。本発明の一実施形態にかかる整流板のパラメータ決定システム７０は、サーバ室構造モデル、所定の計算式などを格納する記憶部７５を備える。
【００７６】
（整流板のパラメータを決定する方法のフローチャート）  
図８に本発明の一実施形態にかかる、整流板のパラメータを決定する方法のフローチャートを示す。構造計算部７１は、入力されたサーバ室３１の寸法、サーバラック列３８ａの寸法、室内機３７の寸法、図４に示す面ａｂｃｄの面積Ｓｉを含むＩＣＴ装置４０ａｉの寸法、ＩＣＴ装置４０ａｉの負荷４１ａｉの位置、ＩＣＴ装置４０ａｉのファン４２ａｉの位置、床パネル３４からＩＣＴ装置４０ａｉまでの高さＨｉ、ＩＣＴ装置４０ａｉの吸気側の整流板４３ａｉの突出しの長さＬｉｎ＿ｉ、およびＩＣＴ装置の排気側の整流板４４ａｉの突出しの長さＬｏｕｔ＿ｉを含む第１のパラメータに基づいて、サーバ室構造モデルを作成する（Ｓ１０１）。作成されたサーバ室構造モデルは、記憶部７５に格納される。
【００７７】
シミュレーション部７２は、サーバ室構造モデルと、入力された空調機の室内機３７から吹出される冷気の風量Ｑｃｏｌｄおよび冷気の温度、ＩＣＴ装置４０ａｉの負荷４１ａｉから生じる熱量、ＩＣＴ装置４０ａｉに内蔵されたファン４２ａｉの回転数Ｒｉを含む第２のパラメータを所定の熱流体力学方程式に代入して得た値とに基づいて、サーバ室内の熱の流れをシミュレーションし、シミュレーションデータを生成する（Ｓ１０２）。シミュレーションデータは、記憶部６５に格納される。
【００７８】
算出部７３は、シミュレーションデータに基づいて、室内機３７から吹出される冷気の風量Ｑｃｏｌｄと、床パネル３４からＩＣＴ装置４０ａｉまでの高さＨｉと、ＩＣＴ装置４０ａｉの吸気側の整流板４３ａｉの突出しの長さＬｉｎ＿ｉと、ＩＣＴ装置の排気側の整流板４４ａｉの突出しの長さＬｏｕｔ＿ｉと、各ＩＣＴ装置の吸込み風量Ｑｉとの関係を表した計算式（式４）を算出する（Ｓ１０３）。計算式（式４）は、床パネル３４からＩＣＴ装置４０ａｉまでの高さＨｉを変化させながら、ＩＣＴ装置４０ａｉの吸気側の整流板４３ａｉの突出しの長さＬｉｎ＿ｉおよび／またはＩＣＴ装置の排気側の整流板４４ａｉの突出しの長さＬｏｕｔ＿ｉと、各ＩＣＴ装置の吸込み風量Ｑｉとの関係を表した関数である。計算式（式４）にかかるデータは、記憶部７５に格納される。
【００７９】
決定部７４は、それぞれの計算式（式４）を用いて、床パネル３４からＩＣＴ装置４０ａｉまでの高さＨｉが高いほどＩＣＴ装置４０ａｉの吸気側の整流板４３ａｉの突出しの長さＬｉｎ＿ｉが長くなる第１の条件式、および／または、床パネル３４からＩＣＴ装置４０ａｉまでの高さＨｉが高いほどＩＣＴ装置の排気側の整流板４４ａｉの突出しの長さＬｏｕｔ＿ｉが短くなる第２の条件式と、各ＩＣＴ装置の吸込み風量Ｑｉがそれぞれ等しくなる第３の条件式と、ＩＣＴ装置の吸込み風量Ｑｉが最大となる第４の条件式とを満足するように、ＩＣＴ装置４０ａｉの吸気側の整流板４３ａｉの突出しの長さＬｉｎ＿ｉ、ＩＣＴ装置の排気側の整流板４４ａｉの突出しの長さＬｏｕｔ＿ｉをそれぞれ算出し決定する（Ｓ１０４）。
【００８０】
本実施形態によれば、サーバ室のサーバラックに設置されたＩＣＴ装置の配列に応じて、ＩＣＴ装置の整流板の形状を変化させ、ＩＣＴ装置内部に冷気を吸込む風量を増加させることが可能となる。したがって、ＩＣＴ装置に内蔵されたファンの回転数を上げなくても、ＩＣＴ装置内部に冷気が充分供給されるため、ＩＣＴ装置の排熱効果および冷却効果が上がり、ＩＣＴ装置の省電化を実現することが可能となる。さらに、空調機の室内機の出力を上げなくても、ＩＣＴ装置内部に冷気が充分供給されるため、空調機の省電化を実現することが可能となる。
【産業上の利用可能性】
【００８１】
本発明は、電力分野、エネルギー分野、通信分野、センシング分野などに関係する産業分野に利用可能である。
【符号の説明】
【００８２】
１、２０、３１  サーバ室
２、３２  室内空間
３、３３  二重床空間
４、３４  床パネル
５、３５  床面の吹出し口
６、３６  コールドアイル
７、２２ａ、２２ｂ、２２ｃ、２２ｄ、３７  室内機
７ａ、３７ａ  蒸発器
７ｂ、３７ｂ  送風機
８ａ、８ｂ、２１ａ、２１ｂ、２１ｃ、２１ｄ、２１ｅ、２１ｆ、３８ａ、３８ｂ  サーバラック列
９ａ、９ｂ、３９ａ、３９ｂ  ホットアイル
１０ａ１、１０ａ２、１０ａ３、１０ａｎ、１０ａｉ、１０ｂ１、１０ｂ２、１０ｂ３、１０ｂｎ、１０ｂｉ、４０ａ１、４０ａ２、４０ａ３、４０ａｎ、４０ａｉ、４０ｂ１、４０ｂ２、４０ｂ３、４０ｂｎ、４０ｂｉ  ＩＣＴ装置
１１ａ１、１１ａ２、１１ａ３、１１ａｎ、１１ａｉ、１１ｂ１、１１ｂ２、１１ｂ３、１１ｂｎ、１１ｂｉ、４１ａ１、４１ａ２、４１ａ３、４１ａｎ、４１ａｉ、４１ｂ１、４１ｂ２、４１ｂ３、４１ｂｎ、４１ｂｉ  負荷
１２ａ１、１２ａ２、１２ａ３、１２ａｎ、１２ａｉ、１２ｂ１、１２ｂ２、１２ｂ３、１２ｂｎ、１２ｂｉ、４２ａ１、４２ａ２、４２ａ３、４２ａｎ、４２ａｉ、４２ｂ１、４２ｂ２、４２ｂ３、４２ｂｎ、４２ｂｉ  ファン
２１ｆ１、２１ｆ２、２１ｆ３、２１ｆ４、２１ｆ５、２１ｆ６、２１ｆ７  サーバラック
４３ａ１、４３ａ２、４３ａ３、４３ａｎ、４３ａｉ、４３ｂ１、４３ｂ２、４３ｂ３、４３ｂｎ、４３ｂｉ  吸気側の整流板
４４ａ１、４４ａ２、４４ａ３、４４ａｎ、４４ａｉ、４４ｂ１、４４ｂ２、４４ｂ３、４４ｂｎ、４４ｂｉ  排気側の整流板
６１、６２  曲面形状の整流板
６３  ファン付き整流板
７０  整流板のパラメータ決定システム
７１  構造計算部
７２  シミュレーション部
７３  算出部
７４  決定部
７５  記憶部
【図１】
0006018562.tif 000002
【図２】
0006018562.tif 000003
【図３】
0006018562.tif 000004
【図４】
0006018562.tif 000005
【図５】
0006018562.tif 000006
【図６】
0006018562.tif 000007
【図７】
0006018562.tif 000008
【図８】
0006018562.tif 000009